(57)【要約】【課題】本発明は市販のゴム製又は合成樹脂製チューブ等を所定の長さに切断して安価に製造でき、又ネコのシャンプー時における引っ掻き防止効果が有効に達成でき、又サックを外挿したネコの脚部分の洗い流しが可能であるネコの引っ掻き防止用サックを提供する。【解決手段】上端と下端において開口４ａ，４ｂし、且つ柔軟性を有する貫通筒体１から成るサックを用い、該筒体１の上端に締め付けバンド２を設け、該筒体１をネコの脚３に外挿し上記バンド２で締め付けて該外挿状態を保持する構成を有すると共に、該筒体１の下端開口４ｂを含む下端筒部でネコの足先３ａより延出する遊端１ｂを形成し、該足先３ａを該遊端１ｂ内奥に格納し、該遊端１ｂは上記脚３の踏圧で足先３ａより側方へ撓曲する構成を有するネコの引っ掻き防止用サック。【選択図】        図４
2007082457.tif 000002
【特許請求の範囲】
【請求項１】
ネコの脚に外挿し足先を格納するネコの引っ掻き防止用サックにおいて、該サックは上端と下端において開口し且つ柔軟性を有する貫通筒体から成り、該貫通筒体の上端に締め付けバンドを設け、該貫通筒体をネコの脚に外挿し上記締め付けバンドで締め付けることにより該外挿状態を保持する構成を有すると共に、該貫通筒体の下端開口を含む下端筒部で上記ネコの足先より延出する遊端を形成し、ネコの足先を該遊端内奥に格納し、該遊端はネコの脚の踏圧で足先より側方へ撓曲する構成を有することを特徴とするネコの引っ掻き防止用サック。
【請求項２】
上記貫通筒体の上端開口縁から上方へ張り出す取り付け片を設け、該取り付け片に上記締め付けバンドを取り付け、該締め付けバンドを上端開口縁の上位においてネコの脚に締め付けし、上記上端開口を開口状態に置く構成を有することを特徴とする請求項１記載のネコの引っ掻き防止用サック。
【請求項３】
上記締め付けバンドを帯材にて形成し、該帯状締め付けバンドの内側面に雄形面ファスナー又は雌形面ファスナーの一方の面ファスナーを設け、同外側面に他方の面ファスナーを設け、該帯状締め付けバンドをネコの脚に巻回して上記雌雄面ファスナーを該巻回面において止着し締め付けを図る構成を有することを特徴とする請求項１記載のネコの引っ掻き防止用サック。
【発明の詳細な説明】
【技術分野】
【０００１】
本発明はネコのシャンプー時や動物病院における診療時等に、該ネコの脚に外挿してネコの爪を格納し引っ掻きを防止するサックに関する。
【背景技術】
【０００２】
特許文献１には靴下状の有底サックの上端開口を通じて同サック内にネコの脚を挿入し、締め付けバンドで該サック上端縁部の外周面を締結し、該締結を介してネコの脚を締め付けしてネコの足先を有底サックの閉鎖底内に内在し、引っ掻きを防止する構成を有するネコ用シャンプー・ブローシューズが開示されている。
【特許文献１】登録実用新案第３０６１６９９号公報
【発明の開示】
【発明が解決しようとする課題】
【０００３】
而して上記特許文献１は有底サックの閉鎖底内にネコの足先を内在する構成であり、閉鎖底によって挿入深さが制限され、成長ネコと子ネコに適切に対応できない問題を有し、又爪によって閉鎖底に短期間で引っ掻き穴が生成される問題を有している。
【０００４】
又閉鎖底を有するサック形状に製造せねばならず、比較的コスト高になる。
【０００５】
又締め付けバンドでサックの上端開口縁の外面を締め付け、該上端開口縁を介して間接的にネコの脚に締め付けする構造であるため、容易にズレ落ちを生じやすい。
【０００６】
又上記有底サックは有底構造であるために、有底サック上端より流入し閉鎖底に溜まった洗浄水の重量により上記ズレ落ちを招来する問題を有している。
【０００７】
又サックは上端開口縁が締結され、且つ下端が閉鎖されているためにサックを外挿した脚の洗い流しが困難な問題を有している。
【課題を解決するための手段】
【０００８】
本発明は上記問題を有効に解決するネコの引っ掻き防止用サックを提供するものであり、該サックを上端と下端において開口し且つ柔軟性を有する貫通筒体にて形成し、該貫通筒体の上端に締め付けバンドを設け、該貫通筒体をネコの脚に外挿し上記締め付けバンドで締め付けすることにより該外挿状態を保持する構成を有する。
【０００９】
更に貫通筒体の下端開口を含む下端筒部で上記ネコの足先より延出する遊端を形成し、ネコの足先を該遊端内奥に格納し、該遊端はネコの脚の踏圧で足先より側方へ撓曲する構成を有する。
【００１０】
上記締め付けバンドは上記貫通筒体の上端開口縁から上方へ張り出す取り付け片に取り付けることにより、該締め付けバンドを上端開口縁の上位においてネコの脚に直接締め付けし、上記上端開口を開口状態に置く構成にする。
【００１１】
又上記締め付けバンドを帯材にて形成し、該帯状締め付けバンドの内側面に雄形面ファスナー又は雌形面ファスナーの一方の面ファスナーを設け、同外側面に他方の面ファスナーを設け、該帯状締め付けバンドをネコの脚に巻回し、上記雌雄面ファスナーを該巻回面において止着し締め付けを図る構成を有する。
【発明の効果】
【００１２】
本発明によれば、上端と下端において開口する貫通筒体から成るサックの適用によって、親ネコと子ネコの如き異なる脚の長さを遊端によって適切に吸収できる。
【００１３】
又遊端を形成し、遊端内奥にネコの足先を格納する構成を有するので、引っ掻き防止効果が有効に達成できる。又踏圧によって該遊端を足先から側方へ撓曲することにより、ネコの四脚にサックを外挿しても歩行姿勢を取り得る。
【００１４】
又本発明は上端と下端において開口する貫通筒体から成るものであるから、市販のゴムチューブ又は合成樹脂チューブを所定の長さに切断して形成することができ、安価に提供できる。
【００１５】
又上端開口から洗水がサック内に浸入することがあっても、下端開口から速やかに放水することができる。従ってサック内に溜まった洗水の重量によりズレ落ちる問題を解消でき、又サックは下端開口によって開放されているので従来例の如き閉鎖底に引っ掻き穴を生成する問題を解消する。
【００１６】
又サックの上端開口から流入した洗水を下端開口に速やかに放出し、サック外挿部のネコの脚の洗い流しが可能である。
【００１７】
又締め付けバンドをネコの脚に巻回し巻回面で面ファスナーによる止着を図り締め付けを図る構成により、締め付けバンドをネコの脚の周面に強固に密着して取り付けることができる。
【発明を実施するための最良の形態】
【００１８】
以下、本発明を実施するための最良の形態を図１乃至図５に基づき説明する。
【００１９】
図１に示すように、ネコの脚３に外挿し足先３ａを格納するサックとして、上端と下端において開口４ａ，４ｂする、ゴム等の柔軟性を有する、全長において等径の貫通筒体１を用い、該貫通筒体１の上端に締め付けバンド２を設ける。
【００２０】
図２乃至図５に示すように、上記貫通筒体１をネコの四本の脚３に夫々外挿し、上記締め付けバンド２をネコの脚３の膝関節６の上位に締め付けすることにより、該サック外挿状態を保持すると共に、該貫通筒体１の下端開口４ｂを含む下端筒部で上記ネコの足先３ａより延出する遊端１ｂを形成し、ネコの足先３ａを該遊端１ｂの内奥に格納する。
【００２１】
ネコが四本の脚３で歩行姿勢を取った場合には図４に示すように、上記遊端１ｂをネコの踏圧により足先３ａから側方に撓曲し、容易に歩行姿勢を取ることができる。該ネコの足先３ａより先に上記遊端１ｂが形成され、ネコの足先３ａは該遊端１ｂ内奥に格納された状態を形成し、該爪３ｂによる引っ掻きを有効に防止する。
【００２２】
又ネコを仰向け又は横に寝かせて洗浄又は治療を行う場合には、上記遊端１ｂは復元しネコの足先３ａから先方へ真っ直ぐに延び、ネコの爪３ｂを有する足先３ａは該遊端１ｂ内奥に格納された状態を形成し、該爪３ｂによる引っ掻きを防止する。洗浄や治療の作業中に遊端１ｂは自由に撓むので作業の支障とならない。
【００２３】
又上記貫通筒体１は柔軟性と耐水性を有し、編成構造を有しない平滑な表面を有する、例えばゴムや合成樹脂シート等により形成する。
【００２４】
上記貫通筒体１は市販されている等径の長尺ゴムチューブ、又は合成樹脂チューブを定長に切断して得られ、安価に形成することができる。
【００２５】
上記貫通筒体１、即ちサックは四本を一組として形成され、ネコの四本の脚３に夫々外挿するか、必要に応じ前脚二本、後脚二本に外挿する等、選択して使用できる。
【００２６】
次に上記締め付けバンド２の取り付け構造、並びに締め付け構造について説明する。
【００２７】
上記貫通筒体１の上端開口縁から上方へ張り出す取り付け片１ａを同筒体１と一体に設け、好ましくは貫通筒体１を形成する素材の一部で取り付け片１ａを形成し、該取り付け片１ａに上記締め付けバンド２を取り付け、該締め付けバンド２を上端開口４ａの縁の上位においてネコの脚３の膝関節６の上位に締め付けしてサックをネコの脚３に装着し、該締め付け状態において上記貫通筒体１の上端開口４ａが開放した状態を形成する。
【００２８】
従ってサックはネコの脚３に外挿した状態において上端開口４ａと下端開口４ｂが夫々開放された状態に置かれる。
【００２９】
上記上端開口４ａよりシャンプー時の洗水を導入し、貫通筒体１内を通して遊端１ｂの下端開口４ｂより放出することができ、該洗水の貫流によって貫通筒体１内のネコの脚３を洗水で洗い流すことができる。
【００３０】
上記締め付けバンド２の具体例として、該締め付けバンド２を帯状バンドで形成し、該帯状バンドの内側面と外側面にその略全長に亘り面ファスナー２ａ、２ｂを形成する。再述すると、帯状締め付けバンド２の内側面に雌形面ファスナー２ａ（雄形面ファスナー２ｂ）を略全長に亘り形成し、同外側面に雄形面ファスナー２ｂ（雌形面ファスナー２ａ）を略全長に亘り形成する。
【００３１】
よって帯状締め付けバンド２を上記ネコの脚３に巻回し、該巻回面において面ファスナー２ａ，２ｂを止着させて締め付けを図り、ネコの脚３の周面に対する密着力と締結力を向上し、良好なズレ止めを図る。適例として上記帯状締め付けバンド２を伸縮性を有するバンドにて形成し、伸長しながら面ファスナー２ａ，２ｂで締め付け状態を形成することによりネコの脚３の周面に対する密着力と保持力を一層向上せしめることができる。
【００３２】
上記締め付けバンド２は紐状バンド、帯状バンドを含み、該バンドを上記面ファスナー２ａ，２ｂにより面止着する場合、又は結縛する場合、又はホック等により係合する場合等を含む。
【００３３】
又図１に示すように、上記貫通筒体１の上端、例えば取り付け片１ａに吊り輪５を設け、該吊り輪５によって貫通筒体１、即ちサックを吊し、保管、乾燥を行うことができる。
【図面の簡単な説明】
【００３４】
【図１】本発明に係るネコの引っ掻き防止用サックをネコの脚に外挿する前の状態を示す斜視図。
【図２】本発明に係るネコの引っ掻き防止用サックをネコの脚に外挿した状態を示す側面図。
【図３】上記図２におけるネコの引っ掻き防止用サックの縦断面図。
【図４】ネコが歩行姿勢を取った時のネコの引っ掻き防止用サックの状態を示す側面図。
【図５】本発明に係るネコの引っ掻き防止用サックの締め付け部の横断面図。
【符号の説明】
【００３５】
１…貫通筒体、１ａ…取り付け片、１ｂ…遊端、２…締め付けバンド、２ａ…雌形面ファスナー、２ｂ…雄形面ファスナー、３…ネコの脚、３ａ…ネコの足先、３ｂ…ネコの爪、４ａ…上端開口、４ｂ…下端開口、５…吊り輪、６…ネコの膝関節。
【図１】
2007082457.tif 000003
【図２】
2007082457.tif 000004
【図３】
2007082457.tif 000005
【図４】
2007082457.tif 000006
【図５】
2007082457.tif 000007